(57)【特許請求の範囲】
【請求項１】
光を反射させるための少なくとも一つの凹凸が形成された単位反射領域を複数有した反射板と、
前記反射板の前記単位反射領域が形成された面と対向するように配置されたカラーフィルタ部を備えた液晶表示装置において、
前記カラーフィルタ部は各色がストライプ状に配置されており、
前記単位反射領域の各々に形成された反射膜の反射面は前記カラーフィルタ部のストライプ方向と交差する方向に延設されており、
前記反射面は、前記カラーフィルタ部のストライプ方向と平行な方向に分割面を有する分割反射体の集合体であり、前記分割反射体の各々は隣接する分割反射体に対して前記カラーフィルタ部のストライプ方向と平行な方向に所定量ずらせて配置されており、
前記カラーフィルタ部のストライプ方向と平行な方向に隣り合っている２つの前記分割反射体の頂部と頂部の間にある前記反射面は、前記反射板に垂直な方向に対して傾斜角が大きい面と、前記反射板に垂直な方向に対して傾斜角が小さい面とで形成され、
前記傾斜角が大きい面の該傾斜角は、前記反射面の延設方向と平行な前記反射板の中心線に相当する位置から該反射板の端縁に向かうに連れて大きくなり、かつ前記傾斜角が小さい面の該傾斜角は、前記反射面の延設方向と平行な前記反射板の中心線に相当する位置から該反射板の端縁に向かうに連れて小さくなるように形成されており、
前記反射板で反射された反射光が形成する複数の出射広がりが、それぞれ前記反射板上方の所定位置で交差して共通の出射域を形成し、前記反射板に垂直方向から入射した光が、前記反射面の延設方向所定位置によって、それぞれ概ね前記出射域の所定位置中心の方向に向かって反射され、該反射されたそれぞれの光の強度中心が、前記出射域の所定位置中心に集光するように構成したことを特徴とする液晶表示装置。
【請求項２】
上側基板と下側基板との間に前記反射板を配置したことを特徴とする請求項１記載の液晶表示装置。
【請求項３】
前記カラーフィルタ部と交差する方向に配置された前記頂部の、前記カラーフィルタ部の延設方向の面の幅は、前記頂部下の反射膜凹部間を結ぶ線上から視て略２°以下の幅であることを特徴とする請求項１記載の液晶表示装置。
【発明の詳細な説明】
【０００１】
【発明の属する技術分野】
本発明は、反射板を有する液晶表示装置に関する。
【０００２】
【従来の技術】
近年においては、パーソナルコンピュータ（ＰＣ）、テレビ、ワープロ、ビデオ等への液晶表示装置の応用が進展している。その一方でこのような電子機器に対して一層の高機能化とともに小型化、省電力化、低コスト化等のためにバックライトを用いずに、外部から入射した光を反射させて液晶画像を表示する反射型液晶表示装置が望まれている。
【０００３】
このような反射型液晶表示装置では、バックライトを用いないので外部からの入射光を効率よく利用して画像を形成することが重要である。
【０００４】
図１３（ａ）示すように、反射型液晶表示装置に用いられる反射膜４は、液晶層３８の下方に配置され、入射した周囲光を反射させるが、周囲光の一部は上側基板２の表面で正反射され、残りの周囲光は上側基板２と液晶層３８を通過して反射膜４で反射されるので、上側基板２の表面における反射光と反射膜４による反射光の反射方向が同じであると、光源が液晶表示装置の画像に重複して認められ、画像が見づらくなって視認性が落ちるという問題があった。
【０００５】
そのために図１３（ｂ）に示すように反射膜４の表面に多数の凹凸３からなるパターンを配列しておき、図１３（ｃ）に示すように各凹凸３で入射光を散乱反射させるようにしたものが提案されている。凹凸３によって反射膜４に入射した光を散乱させるようにすれば、その散乱光のうちで上側基板２で正反射した光と同じ方向に向かわない光を用いて液晶画面を視認することができ、上側基板２での正反射光とは異なった方向から液晶画面を視認することが可能であり、視認性が良好となる。
【０００６】
そして、図１４（ｂ）に示すように凸部３ａの表面の曲率を適宜選ぶことによって反射角αを調整し、液晶パネルで正反射した光と同じ方向に向かわない光を視認位置に導くことができる。
【０００７】
【発明が解決しようとする課題】
しかしながら、凹凸３の表面を同じ傾斜角で成形し、反射膜４のどの位置でも凹凸形状が同じであると、液晶画面の視認のために用いない方向までも入射光を反射させる結果となり、無駄な方向まで光を反射して光の利用効率が悪くなる。
すなわち、図１４（ａ）に示すように、凹凸３を微少面積にとり反射膜４に垂直に入射した光が角度α内に広がるとすれば、入射光が反射膜４に垂直に入射した場合、反射膜４で反射される光は、両側に存在する反射膜４からの反射光が全く届かない領域（I，I）を除いた領域（II，II）、（III，III）及び領域IVに反射される。
【０００８】
この領域のうちで、領域（II，II）は、互いに反射膜４の一部（αＬもしくはαＲ）からの反射光しか届かない領域であり、また、領域IVは反射膜４全体からの反射光が届くが、上側基板２による正反射のために液晶画面のコントラストが悪くなり、画像の認識が困難になる。
また、領域（III，III）は反射板１の左側のαＬと右側のαＲからの反射光が届き、上側基板２による正反射を受けないので液晶画面の画像を認識することができる。
よって、領域（III，III）を液晶画面を視る有効視野領域として用いることが望ましい。
【０００９】
しかしながら、この有効視野領域（III，III）は領域IVを中央にしてドーナツ状に形成される。よって、この有効視野領域を携帯電話に用いる場合を考えると、反射型液晶画面では上側基板に垂直に入射する光源がある場合は、液晶画面を真上から視ることはできないので、必然的に傾斜して画面を視ることになる。その際には、左右方向から視ることは他人による視認を容易に行わせることとなるために、図１０に示すように斜め上方（もしくは斜め下方）から画面を視ることが自然である。斜め上方（もしくは斜め下方）に出射域を形成するには前記有効視野領域（III，III）の反射光が集まるように反射板の反射面に指向性を付与することが必要となる。
【００１０】
反射板の反射面を傾斜させて反射光に指向性を持たせたものに特開昭６１−２７０７３１号公報や特開平９−８０４２６号公報が知られている。しかしながら、これらの従来技術は、前記領域IVに反射される光を反射光が全く届かない領域（I，I）にシフトさせているものであり、前記有効視野領域（III，III）に反射光を集めようとしたものではなく、光の利用効率は良くならない。
【００１１】
よって、図１０に示すように斜め上方（もしくは斜め下方）から画面を視るように反射板の反射面に指向性を付与する反射型液晶表示装置が開発されている。
【００１２】
一方、従来の凹凸パターン３は、図１３に示すような凹部が多数反射板１の樹脂薄膜６に凹設されていたので、図１３（ｂ）に示す反射膜４の凸部もしくは凹部に上側基板２表面に垂直に入射した入射光は、その垂直入射光を中心として所定角度有する円錐状に反射する。そして、凹部の斜面に垂直に入射した入射光は、その反射角度は凹部若しくは凸部による反射光よりさらに一方に振れて大きくなる。
【００１３】
その反射光の広がりは、図１２（ｂ）に示すようにカラーフィルタ部３５の表面を鉛直状に起立する線５０を中心として、（ａ）に示すように反時計方向に角度ψ＝０〜３６０°にわたってθ＝３０°の出射領域を形成する。この角度は液晶表示装置の表面を明るくするために３０°±δに設定するのが一般的である。
【００１４】
いま、図１１に示すように、空気層の屈折率Ｎ＝１、ガラス板である上側基板２の屈折率ｎ＝１．５とし、カラーフィルタ部３５及び液晶層３８の屈折率を１．５近辺とした場合、上側基板２の表面に入射角３４°で入射した入射光は屈折角２１．９°で屈折し、反射膜４でγ＝２１．５°で反射する。出射領域をθ＝３０°で形成した場合、ガラス内では±１９．５°程度に拡散反射するので、拡散反射光５１は入射角ｉ＝４１°で上側基板２の上面境界に到達する。
【００１５】
一方、ガラスは屈折角ｎ＝１．５１９の場合、臨界角ｉｃ＝４１．２°となると空気中への屈折光が存在しなくなり、上側基板２の上面境界で全反射し、反射光５１’として再度隣りのカラーフィルタ部３５に侵入する。すなわち、ｉ＝γ＋１９．５°であり、上側基板２での入射角が３４°を超えると、γは２１．５°より大きくなり、ｉ＝２１．５°＋１９．５°＝４１°より大きくなり、臨界角ｉｃ＝４１．２°を超え、全反射する可能性が生まれ、その全反射光によって色にじみが発生する。
よって、特に隣接する異なったカラーフィルタ部に対して反射膜の反射光による出射領域の広がりが制限される反射板が要求される。
【００１６】
上述の事情に鑑み本発明は、反射型液晶画面の斜め上方側（もしくは斜め下方側）の有効視野領域に反射光の出射域を形成することができる反射型液晶表示装置を提供することを目的とする。
また、本発明の他の目的は、色にじみのない反射型液晶表示装置を提供することである。
【００１７】
【課題を解決するための手段】
本発明は、光を反射させるための少なくとも一つの凹凸が形成された単位反射領域を複数有した反射板と、
前記反射板の前記単位反射領域が形成された面と対向するように配置されたカラーフィルタ部を備えた液晶表示装置において、
前記カラーフィルタ部は各色がストライプ状に配置されており、
前記単位反射領域の各々に形成された反射膜の反射面は前記カラーフィルタ部のストライプ方向と交差する方向に延設されており、
前記反射面は、前記カラーフィルタ部のストライプ方向と平行な方向に分割面を有する分割反射体の集合体であり、前記分割反射体の各々は隣接する分割反射体に対して前記カラーフィルタ部のストライプ方向と平行な方向に所定量ずらせて配置されており、
前記カラーフィルタ部のストライプ方向と平行な方向に隣り合っている２つの前記分割反射体の頂部と頂部の間にある前記反射面は、前記反射板に垂直な方向に対して傾斜角が大きい面と、前記反射板に垂直な方向に対して傾斜角が小さい面とで形成され、
前記傾斜角が大きい面の該傾斜角は、前記反射面の延設方向と平行な前記反射板の中心線に相当する位置から該反射板の端縁に向かうに連れて大きくなり、かつ前記傾斜角が小さい面の該傾斜角は、前記反射面の延設方向と平行な前記反射板の中心線に相当する位置から該反射板の端縁に向かうに連れて小さくなるように形成されており、
前記反射板で反射された反射光が形成する複数の出射広がりが、それぞれ前記反射板上方の所定位置で交差して共通の出射域を形成し、前記反射板に垂直方向から入射した光が、前記反射面の延設方向所定位置によって、それぞれ概ね前記出射域の所定位置中心の方向に向かって反射され、該反射されたそれぞれの光の強度中心が、前記出射域の所定位置中心に集光するように構成したことを特徴とする。
【００１８】
ここにおいて、単位反射領域とは、凹部もしくは凸部で区画され、入射光を反射する反射領域をいう。
そして、単位反射領域とは、１個の凹部もしくは凸部で区画された反射領域であっても、また、複数個の集合体として把握することもできる。反射領域は凹部で区画されるとその内部は必然的に凸部で形成され、該凸部は一方に傾斜する反射角一様の平面もしくは、凸状の球面または凸状の非球面となる。また、凸部で区画されるとその内部は必然的に凹部で形成され、該凹部内は一方に傾斜する反射角一様の平面もしくは、凹状の球面または凹状の非球面となる。
【００１９】
また、前記凹部もしくは凸部で区画された内部の反射面は、反射角一様の平面のみでなく、その単調に増加もしくは減少する平面高さの途中で微小の凸部もしくは凹部が設けられていてもよく、また、前記凹状または凸状の球面もしくは非球面は連続して曲率が変化するものであっても、また、その途中で微小の凸部もしくは凹部が設けられていてもよい。
【００２０】
そして、本発明においては、前記単位反射領域を用いて略波形に反射面構造体が形成される。略波形とは、例えば、図２（ａ）に示すように樋状に形成され、その稜線が延設方向に水平に形成されてもよく、また、（ｂ）に示すように蒲鉾状に多数連結してもよく、また、（ｃ）に示すように三角柱状に形成され、その稜線が延設方向に水平に形成されてもよく、また、（ｄ）に示すように前記三角柱を所定長さに切断して短三角柱体を多数連結してもよく、また、（ｅ）及び（ｆ）に示すように、短三角柱体または蒲鉾状体を反射面方向に若干ずらせて配置してもよい。
【００２１】
そして、本発明は、略波形に形成した反射面構造体の波形稜線を略水平に形成して、ストライプ状に配置された前記カラーフィルタ部と交差する方向に配置しているので、前記反射板に垂直に光を入射させたとき前記カラーフィルタ部のストライプ方向と交差する方向に反射光がほとんど出射しないように構成される。よって、隣りのカラーフィルタ部に反射光が侵入して色にじみを起こすことがない。
【００２２】
ここにおいて、「概ね前記出射域の所定位置中心の方向に向かって反射され」とは、「該液晶表示装置を観察する観察者が視認可能な範囲であり、±３０°程度の広がり角度を許容する範囲」を意味する。
また、「前記出射域の所定位置中心に集光する」とは、「一点に集光するのが望ましいが、多少のバラツキは許容される。例えば、反射面構造体は多数波形反射面が出射域に向かって配置されているが、該波形反射面の多数が一方側の端部から所定距離の位置にある反射面は、その所定位置の理想的な出射域の中心を仮想中心としたときに、反射光の強度中心は仮想中心に対して前記広がり角度（±３０°）の範囲内であれば同様の効果が得られ、前記出射域の中心に集光するとされる」ことを意味する。
よって、反射面構造体の反射面が波形であるために、前記出射域の中心が前記一方側の端部から他方側の端部に向かって多数形成され、長方形もしくは楕円形の出射域を形成することとなる。
【００２３】
また、上側基板と下側基板との間に前記反射板を配置して構成することも本発明の有効な手段である。
【００２４】
かかる技術手段によると、反射板を上側基板と下側基板との間に配置し、前記複数の反射面構造体からの反射光が形成する複数の出射広がりが、それぞれ前記反射板上方の所定位置で交差して共通の出射域を形成しているので、それぞれ上方の所定位置に反射光を導いて集光することができ、また、前記上側基板に一定方向から入射した光が、前記複数の反射面構造体の延設方向所定位置によって、それぞれ概ね前記出射域の所定位置中心の方向に向かって反射され、該反射されたそれぞれの光の強度中心が、前記出射域の所定中心位置に集光し、前記上側基板により正反射した反射光方向にはほとんど出射しないように構成したので、前記出射域において、集光した光束によって明るく液晶の表示を観察することができる。
【００２５】
また、前記カラーフィルタ部と交差する方向に配置された前記頂部の、前記カラーフィルタ部の延設方向の面の幅は、前記頂部下の反射膜凹部間を結ぶ線上から視て略２°以下の幅であるように構成することも本発明の有効な手段である。
【００２６】
かかる技術手段によると、前記波形稜線の頂部の、前記カラーフィルタ部の延設方向の面の幅は略２°以下で狭く、よって、観察者が観察する出射域に向かわない光は少なく、明るい出射域を形成することができる。また、出射域に向かう面とは反対側の面による反射光は出射域に向かわずカラーフィル部に反射される可能性があるが、同じ色のカラーフィルタ部であり色にじみはない。
【００２７】
また、前記一定方向からの入射光によって前記上側基板により正反射した反射光で形成される反射光領域を除いた前記出射域の略全体に、前記一定方向からの入射光が前記複数の反射面構造体によって反射した反射光が出射するように構成することが望ましい。
【００２８】
かかる技術手段によると、一定方向からの入射光は、上側基板により反射して正反射光となり、一方上側基板内に屈折して反射面構造体に到達する光があり、該反射面構造体によって反射した反射光が再度上側基板から放出されるが、その反射光は、前記正反射光で形成される反射光領域を除いた前記出射域の略全体に出射するので正反射光以外は反射光を有効に利用するとともに、正反射光と同じ領域に出射域が存在しないので照明光源がモニタ画面に重畳することがない。
【００２９】
また、前記略波形に形成した反射面構造体の反射面の反射角度は、前記反射板の中心位置から該反射板の端縁に向かうに連れて小さくなるように形成することが望ましい。かかる技術手段によって、液晶画面の上方の一方側に反射光の出射域を形成することができる。
【００３０】
このように構成することによって、略波形に形成された反射面構造体の前記反射面である一方の反射面とは反対側の他方の反射面は前記出射域側に光を反射できないので、その分光量ロスとなるが、前記反射面構造体の反射面は、該反射面に入来する入射光のうち略７０％以上の光を前記出射域に反射することが可能である。
【００３１】
【発明の実施の形態】
以下、図面を参照して本発明の好適な実施の形態を例示的に詳しく説明する。但しこの実施の形態に記載されている構成部品の寸法、材質、形状、その相対的配置等は特に特定的な記載がないかぎりは、この発明の範囲をそれに限定する趣旨ではなく、単なる説明例にすぎない。
【００３２】
図１は、本発明の実施の形態にかかる反射板の要部を説明する断面図、図２は、反射板の凹凸形状の他の実施の形態を説明する説明図、図３は、液晶表示装置の平面図、図４は、反射板の反射特性を説明する説明図である。
【００３３】
図１（ａ）は、上側基板２、液晶層３８と反射板１で構成される反射型液晶表示装置１０の断面を示し、反射板１はセラミック、ガラス、プラスチック等で形成される不透明もしくは透明な下側基板１１上に樹脂層６と反射膜４とで構成される。尚、図１は模式図であって、液晶層３８、上側基板２等における各層の屈折率の相違は考慮して描いてはいない。
【００３４】
図１（ａ）において、上側基板２を通して入射した入射光７は一部上側基板２の表面２ａで反射されて戻るが、上側基板２に侵入した光は反射膜４に到達する。反射膜４は領域Ａから中心領域Ｑに向かうに連れて入射光と反射光間の角度θＬ、θＲ、θＬ’、θＲ’を異ならせて配設されている。
【００３５】
そして、反射光８及び９は角度αの範囲内に広がる略円形の出射域１４Ｌを形成し、また反射光１８及び１９は角度βの範囲内に広がる略円形の出射域１４Ｒを形成する。この出射域１４Ｌ、１４Ｒの中心１４Ｌａ、１４Ｒａは、反射型液晶表示装置１０の端部から離間した位置の垂線上に形成される。この中心１４Ｌａ、１４Ｒａの位置は、例えば、図１上反射型液晶表示装置１０の左右長４０ｍｍとした場合、左右端から１０ｍｍ程度離間した位置の上方３００ｍｍ程度に設定される。よって、出射域１４Ｌ、１４Ｒがほぼ液晶表示装置の幅方向を網羅する楕円もしくは長方形形状に形成される。
【００３６】
反射膜４は上側基板２の表面２ａへの垂直入射光７によって、反射光８及び１８、また、反射光９及び１９と左右に反射されるように図１上紙面を貫く方向に波形に形成される。そして、（ｂ）に示すように、中央部Ｃにおいては、左側傾斜角度αＣと右側傾斜角度βＣとは等しいが、左側にいくにつれて左側傾斜角度αＣが大きくなり、右側傾斜角度βＣが小さくなり、右側にいくにつれて左側傾斜角度αＣが小さくなり、右側傾斜角度βＣが大きくなり、左側ＬにおいてはαＬ＞βＬとなり、右側ＲにおいてはαＲ＜βＲとなるように形成されている。
【００３７】
尚、前記波形に形成された反射面はαＬ、βＬ、αＲ、βＲが上記関係を満たすものであれば、図２（ａ）に示すような曲面の連像体から成っていても、（ｃ）に示すような鋸状斜面であってもよく、また、それらの反射面は表示面の全幅に対応した連続体［（ａ）、（ｃ）］であっても、（ｂ）、（ｄ）に示すような延設方向に分割された分割反射体の集合体であってもよく、さらに、（ｅ）、（ｆ）に示すように分割反射体をその延設方向と交差する方向に所定量ずらせて配置してもよい。
【００３８】
図３は、液晶表示装置の平面であり、パネル上は図１の左端に、パネル下は右端に対応する。カラーフィルタ部の配列は波形に形成された反射膜４を有する反射体と交差するようにパネル上とパネル下との間にストライプ状に配置されている。
【００３９】
図４は本実施の形態にかかる反射板の反射特性を説明する説明図である。図４（ｂ）に示すように反射膜４は、図２（ａ）から（ｆ）に示した凹凸形状が、図１（ｂ）に示したように各々の配置位置に対応させて、傾斜角度が変わるように形成されている。よって、図１に示したように１４Ｌ，１４Ｒに光が集中するような出射領域（図４（ａ））を形成する。
【００４０】
したがって、従来例のように出射領域をθ＝３０°で形成した場合、ガラス内では±１９．５°程度に見込む必要があった拡散反射を１／３程度の反射角±６〜７°に抑えることができ、入射角が３４°より大きくなっても、その入射光による反射膜４での反射光５１による上側基板２の表面２ａへの入射角ｉは４１．２°より小さくなり、隣接するカラーフィルタ部へ全反射することがなく色にじみを防止することができる。
一方、パネル上下方向には従来例のように出射領域をθ＝３０°で形成されているが、その方向に全反射光が発生しても、同色のカラーフィルタ部であり、色にじみを起こすことはない。
【００４１】
図５は出射域を形成する反射面構造体５の反射面の構成図である。同図において、下側基板１１の表面からの高さ位置を示す線１２上に反射面４の凹部４ｂが位置し、反射膜４の頂部４ａの水平幅は、前記頂部４ａの直下の前記線１２上から視て２°以下に設定する。
【００４２】
よって、反射光の出射域を形成する反射面Ｓは前記頂部４ａの水平幅が１°以下であるためにほとんど全てが出射域となり、図１（ａ）の反射光の出射域１４Ｌを形成する反射面のＳと出射域１４Ｌを形成しない領域Ｔとの関係は、それらの反射面Ｓ及び領域Ｔを面積で表した場合、
（Ｓの面積）／（Ｓの面積＋Ｔの面積）≒０．７０
に設定している。そして、出射域１４Ｌを形成しない領域Ｔは、出射域１４Ｒを形成し、出射域１４Ｒを形成しない反射光９は出射域１４Ｌを形成するので、反射光８と反射光９とで７０％以上の反射光を有効に用いることができる。
【００４３】
次に、反射板に用いられる凹凸形状の製造方法を説明する。この凹凸形状はスタンパと呼ばれる金型によって、大量に複製することができる。その製造方法である２Ｐ法を図６を用いて説明する。
（ａ）基板１１を用意し、その上に電子ビームレジスト２２を塗布する。
（ｂ）電子ビームによってレジスト２２を微細加工して凸型の形状にして、凹凸形状原盤２３を作製する。
（ｃ）次に、電鋳法によってニッケル等のスタンパ材料を原盤２３の上に堆積し、スタンパ２４を作製する。
（ｄ）スタンパ２４と原盤２３とを分離する。スタンパ２４は前記凸型の形状に対応して凹型の形状となり、凹凸形状の金型となる。
【００４４】
次に、上記反射板の製造方法を図７を用いて説明する。上述したように、反射板の模型である原盤２３を作成した後、電鋳法によりスタンパ２４が作製され、該スタンパ２４には反射板表面形状の反転パターン２４ａが形成されている。
【００４５】
しかして、（ａ）に記載するように、ガラス基板や透明樹脂フィルム等の透明な基板１１（ただし、スタンパが紫外線を透過する場合には、基板１１は透明である必要はない。）の上に紫外線硬化樹脂６を滴下した後、紫外線硬化樹脂６の上から基板１１上にスタンパ２４を降下させ、基板１１とスタンパ２４との間に紫外線硬化樹脂６を押し広げて基板１１とスタンパ２４との間に紫外線硬化樹脂６を充填させる。
【００４６】
ついで、図７（ｂ）に示すように、基板１１側から紫外線硬化樹脂６に紫外線を照射し、紫外線硬化樹脂６を光硬化反応により硬化させる。紫外線硬化樹脂６が硬化したら、紫外線硬化樹脂６からスタンパ２４を剥離させると、図７（ｃ）のように紫外線硬化樹脂６の表面にはスタンパ２４の反転パターン２４ａが反転してパターン６ａとして転写される。
この後、紫外線硬化樹脂６のパターン６ａ上にＡｇ、Ａｌなどの金属薄膜をスパッタ形成などにより堆積させ、図７（ｄ）に示すように反射膜４を形成し、これによって反射板１が完成される。
【００４７】
次に、上記反射板の他の製造方法を図８により説明する。上述したように、反射板の模型である原盤２３を作成した後、電鋳法によりスタンパ２４が作製され、該スタンパ２４には反射板表面形状の反転パターン２４ａが形成されている。
【００４８】
しかして、（ａ）に記載するように、基板１１の上にアクリルなどの樹脂３０をスピンコートした後、（ｂ）に記載するように、該樹脂３０の上からスタンパ２４を降下させ、樹脂３０を押圧させ、図８（ｃ）のように樹脂３０の表面にはスタンパ２４の反転パターン２４ａが反転してパターン３０ａとして転写される。
この後、樹脂３０のパターン３０ａ上にＡｇ、Ａｌなどの金属薄膜をスパッタ形成により堆積させ、図８（ｄ）に示すように反射膜４を形成し、これによって反射板１が完成される。
【００４９】
図９に示すものは上記のように製作された反射板を備えた反射型液晶表示装置の構造を示す概略図であって、上側基板２は反射板１を裏面側基板として構成される。すなわち、図７に示す工程の前に反射板１の表面に薄膜トランジスタ（ＴＦＴ）３２を設けて下側基板１１を形成する。
その後、上述したように下側基板１１上に感光性樹脂による凹凸パターンを形成し、ＴＦＴ３２に対応した位置にコンタクトホール６０を形成し、凹凸パターン及びコンタクトホ−ル６０内に金属薄膜をスパッタ形成し、反射膜４とともに該反射膜４とＴＦＴ３２とを導通する導通路を形成することができる。
【００５０】
一方、上側基板２の裏面にブラックマトリクス３６やカラーフィルタ３５、透明電極（ＩＴＯ）３７を形成し、上側基板２の表面に図示しない偏光板を貼り付けて表面パネルを形成する。この後、透明電極（ＩＴＯ）３７と反射膜４との間に液晶層３８を挟み込むことによって、反射型液晶表示装置が完成する。
【００５１】
このような構造によれば表面パネルと反射板とが一体化されて反射型液晶表示装置を薄型化することができる。
【００５２】
なお、本実施の形態の反射板は反射型液晶表示装置に限らず、その他の反射型表示装置にも用いることができる。また、図示しないが、バックライト光源のパワーを小さくしたり、液晶パネル以外のところから入射光を取り入れる、いわゆる半透過型液晶表示装置にも用いることができる。
【００５３】
図１０に示すものは、本実施の形態における反射板を用いた反射型液晶表示装置をディスプレイ用に用いた携帯電話や弱電力型無線機器などの無線情報伝達装置３９である。
このように構成された本無線情報伝達装置３９は、図１０に示すように把持してモニタ画面３９ａに直角に入射した光に対して上方の出射域１４Ｌ（もしくは下側の出射域１４Ｒ）からモニタ画面３９ａの画像を視認することができる。
【００５４】
よって、出射域１４Ｌ及び出射域１４Ｒ以外の領域、特に出射域１４Ｌ及び出射域１４Ｒの中間あたりにモニタ画面３９ａから直接に正反射光が存在する外光状態のときにおいても、光源がモニタ画面３９ａに写ってモニタ画面の視認を邪魔することがない。
【００５５】
尚、本実施の形態は、前記した無線情報伝達装置３９のみではなく、電子手帳、携帯用コンピュータ、携帯用テレビなどの携帯情報端末に応用できることは勿論のことである。
【００５６】
このような無線情報伝達装置や携帯情報端末等は、バッテリー駆動であるために省電力が要求されるが、反射型液晶表示装置を用いることでバックライトは不要であり、小電力化を図ることができる。しかも、その反射型液晶表示装置に本実施の形態の反射板を用いることで、ディスプレイ画面を明るくでき、視認性を良好にするとともに、該視認に指向性を有しているので、横からの他人による視認を防止することができる。
【００５７】
【発明の効果】
以上説明したように、本発明によれば、反射板に垂直に光を入射させたとき前記カラーフィルタ部のストライプ方向と交差する方向に反射光がほとんど出射しないように構成されているので、隣りのカラーフィルタ部に反射光が侵入して色にじみを起こすことがない。
【図面の簡単な説明】
【図１】  本発明の実施の形態にかかる反射板の要部を説明する断面図である。
【図２】  反射板の凹凸形状の他の実施の形態を説明する説明図である。
【図３】  液晶表示装置の平面図である。
【図４】  反射板の反射特性を説明する説明図である。
【図５】  出射域を形成する反射面構造体の反射面の構成図である。
【図６】  スタンパの製造方法を説明する説明図である。
【図７】  反射板の一製造方法を説明する図である。
【図８】  反射板の他の製造方法を説明する図である。
【図９】  反射型液晶表示装置の概略断面図である。
【図１０】  無線情報伝達装置の斜視図である。
【図１１】  従来の液晶表示装置の説明図である。
【図１２】  従来の反射型液晶表示装置の反射状態説明図である。
【図１３】  従来の反射型液晶表示装置における問題点を説明する図である。
【図１４】  従来の反射板で反射された光の挙動を示す図である。
【符号の説明】
１      反射板
５      反射面構造体
１３    単位反射領域
１４    出射域
【図１】
0003937745.tif 000002
【図２】
0003937745.tif 000003
【図３】
0003937745.tif 000004
【図４】
0003937745.tif 000005
【図５】
0003937745.tif 000006
【図６】
0003937745.tif 000007
【図７】
0003937745.tif 000008
【図８】
0003937745.tif 000009
【図９】
0003937745.tif 000010
【図１０】
0003937745.tif 000011
【図１１】
0003937745.tif 000012
【図１２】
0003937745.tif 000013
【図１３】
0003937745.tif 000014
【図１４】
0003937745.tif 000015